(57)【要約】                                                                        【課題】  朱肉や浸透印を持ち合わせしない場合であっても捺印欄に明瞭に捺印できる印肉シートを備えた複写伝票と、それによる捺印方法を提供する。【解決手段】  本発明の捺印用印肉シート付き複写伝票１は、表面に捺印欄３を有する複写伝票の当該捺印欄に接する面に印肉シート４を有している複写伝票において、当該印肉シートは少なくとも捺印欄３に当接する部分に剥離層４２を介して捺印用の転写インキ層４３を有し、印肉シートの転写インキ層とは反対側の面から印鑑をあてて押圧することにより、印鑑の文字形状が捺印欄に転写するようにされていることを特徴とする。  本発明の捺印方法は、上記複写伝票を使用する捺印方法であって、印肉シート４の転写インキ層とは反対側の面から印鑑５をあてて押圧し捺印欄３に印鑑の文字形状を転写することを特徴とする。上記複写伝票の剥離層は紫外線硬化型樹脂からなる薄層の層からなり、シリコーン樹脂が添加されていることが好ましい。【選択図】  図１
2006159462.tif 000002
【特許請求の範囲】
【請求項１】
表面に捺印欄を有する複写伝票の当該捺印欄に接する面に印肉シートを有している複写伝票において、当該印肉シートは少なくとも捺印欄に当接する部分に剥離層を介して捺印用の転写インキ層を有し、印肉シートの転写インキ層とは反対側の面から印鑑をあてて押圧することにより、印鑑の文字形状が捺印欄に転写するようにされていることを特徴とする捺印用印肉シート付き複写伝票。
【請求項２】
剥離層が紫外線硬化型樹脂からなり、シリコーン樹脂が添加されていることを特徴とする請求項１記載の捺印用印肉シート付き複写伝票。
【請求項３】
捺印用の転写インキ層が、朱ないし赤色の顔料インキからなることを特徴とする請求項１または請求項２記載の捺印用印肉シート付き複写伝票。
【請求項４】
複写伝票に対する捺印方法であって、複写伝票として表面に捺印欄と当該捺印欄に当接する部分に剥離層を介して捺印用の転写インキ層を有する印肉シートを有するものを使用し、当該印肉シートの転写インキ層とは反対側の面から印鑑をあてて押圧し捺印欄に印鑑の文字形状を転写することを特徴とする複写伝票に対する捺印方法。
【発明の詳細な説明】
【技術分野】
【０００１】
本発明は、捺印用印肉シート付き複写伝票とそれによる捺印方法に関する。詳しくは、表面に捺印欄を有する複写伝票において、印肉や浸透印（いわゆる「シャチハタ（商標）」印）を使用しないで、複写伝票に明瞭に捺印することができるように印肉シートを備えた複写伝票と、当該複写伝票による捺印方法に関するものである。
【背景技術】
【０００２】
宅配便やその他一定のサービスの受領を証明するために、複写伝票に捺印欄を設け、捺印を求めることが行われている。しかし、明瞭な捺印をするためには、印肉や浸透印を持ち合わせていなければならないが、それらを所持していない場合は、迅速に捺印を行うことができず、業務の支障となる場合がある。
また、印肉を使用する場合も、印鑑に目詰まりを生じたり、印面を汚すので清掃や拭き取りが必要であったり、印肉自体が古くなっていて明瞭に捺印できない、という問題もある。
【０００３】
従来、捺印欄に感圧発色するノーカーボン紙（感圧紙）を使用する場合もあるが、複写性（発色）が良好でないばかりか、経時的に変色または消色してしまう問題があった。
なお、本願に関係する先行技術は検出されないが、複写伝票等に捺印欄を設ける技術には、特許文献１や特許文献２がある。特許文献２は、受領確認部の形成を感熱発色剤層の発色反応で行うことを記載している（段落［０００９］）。
【０００４】
【特許文献１】特開平１１−５９０２１号公報
【特許文献２】特開平８−２３０３５４号公報
【発明の開示】
【発明が解決しようとする課題】
【０００５】
そこで、本発明では複写伝票自体に印肉の代替となる印肉シートを設け、当該印肉シートを介して押印することにより、捺印欄に迅速、かつ明瞭に捺印することを研究して本発明の完成に至ったものである。
【課題を解決するための手段】
【０００６】
上記課題を解決する本発明の要旨の第１は、表面に捺印欄を有する複写伝票の当該捺印欄に接する面に印肉シートを有している複写伝票において、当該印肉シートは少なくとも捺印欄に当接する部分に剥離層を介して捺印用の転写インキ層を有し、印肉シートの転写インキ層とは反対側の面から印鑑をあてて押圧することにより、印鑑の文字形状が捺印欄に転写するようにされていることを特徴とする捺印用印肉シート付き複写伝票、にある。    
【０００７】
上記課題を解決する本発明の要旨の第２は、複写伝票に対する捺印方法であって、複写伝票として表面に捺印欄と当該捺印欄に当接する部分に剥離層を介して捺印用の転写インキ層を有する印肉シートを有するものを使用し、当該印肉シートの転写インキ層とは反対側の面から印鑑をあてて押圧し捺印欄に印鑑の文字形状を転写することを特徴とする複写伝票に対する捺印方法、にある。
【発明の効果】
【０００８】
本発明の捺印用印肉シート付き複写伝票によれば、個々の複写伝票自体に印肉シートが設けられているので、印肉や浸透印を所持しない場合でも、印鑑さえ所持していれば、伝票の捺印欄に明瞭な捺印をすることができる。捺印した印影はにじみが生じたり乾燥不良となるような問題がない。
本発明の複写伝票に対する捺印方法によれば、印肉を持たない場合でも、捺印欄に印肉シートを被せ、転写インキ層とは反対側の面に印鑑をあてて押圧するだけで、捺印欄に印鑑の文字を簡単に転写できる。
また、捺印の際、印肉を使用しないので、印鑑を目詰まりさせたり汚したりすることがない。したがって印面を清掃したり汚れを拭き取るような手間を必要としない。
【発明を実施するための最良の形態】
【０００９】
以下、本発明の実施形態について図面を参照して説明する。
図１は、本発明の捺印用印肉シート付き複写伝票を示す図、図２は、同複写伝票による捺印方法を示す図、である。
【００１０】
本発明の捺印用印肉シート付き複写伝票（以下、単に「本発明の複写伝票」とも記載する。）１は、図１（Ａ）の平面図のように、複数枚の紙葉からなる伝票用紙２を有し、通常は最上面の伝票用紙に捺印欄３を有している。伝票用紙２自体は感圧紙等の複写用紙であって、上面から筆記具で記載した文字等を下面の用紙に転写できるものである。伝票用紙２は、通常左側の一端（図１において左端側）で糊付けされて綴じ合わされている。複写伝票１が配送伝票である場合は、最下面に剥離紙で保護した粘着剤が塗工されていて、配送する物品等に貼着するようにされている。
【００１１】
本発明の複写伝票１の特徴は、捺印欄３に接するように、印肉シート４が設けられていることにある。印肉シート（図１（Ａ）において、一点鎖線の部分）４の幅Ｗは、図のように捺印欄３を覆う程度であってもよいが、本発明の複写伝票１の幅と同一であっても勿論構わない。長さＬも伝票用紙２と同長でなくてもよい。あるいは、捺印欄３の上面部分にのみ剥離除去可能に仮貼りされていてもよい。
図１（Ｂ）の断面図のように、印肉シート４は基材４１の面に剥離層４２を介して転写インキ層４３を有している。図のように印肉シート４の一端も伝票用紙２と同様に同一の側で糊付けされて固定されている。ただし、右端側は自由端になっているので、印肉シート４を捺印欄３から持ち上げて、通常の印肉を使って捺印することも勿論可能である。
【００１２】
印肉シート４の剥離層４２と転写インキ層４３の塗布面積は、印肉シート４の全面と同一であっても構わないが、捺印欄３と同等の大きさに塗布するのが好ましい。その場合には、下面にある伝票の表示内容の視認を妨げないからである。
もっとも剥離層４２自体は、透明なオーバープリント（ＯＰ）ニスやメジウムインキを用いることが多いので、印肉シートが透明であっても塗布面積を調整する必要はない。
【００１３】
印肉シート４の基材４１には、プラスチックフィルムや薄手の紙を使用できる。プラスチックフィルムの場合は、ポリエチレンテレフタレート（ＰＥＴ）やポリカーボネート、ポリエチレン、ポリプロピレン、ポリアミド、塩化ビニル、塩化ビニリデン、ポリメチルペンテン、３酢酸セルロースなどを使用できる。
厚みは、２０〜８０μｍ、特に好ましくは、３０〜６０μｍ程度である。基材シートの厚みが２０μｍよりも薄いと、塗布工程において、作業性が極端に悪化し、逆に８０μｍよりも厚いと印鑑の文字再現性が低下するからである。
紙の場合、完全な透明紙はセロハン紙程度であるが、グラシン紙や樹脂含浸紙は比較的透明である。不透明であっても、上質紙、コーテッド紙、キャスト紙、合成紙、薄葉紙等も使用できる。厚みは、２５〜６０ｇ／ｍ2 程度のものを使用する。これよりも薄くても厚くてもフィルムの場合と同様な問題を生じる。
【００１４】
基材シートには、剥離層４２を塗工するのが好ましい。特に基材が紙の場合は、転写インキ層を直接塗布すると、インキが紙層に浸透してしまい、転写性能が格段に低下するからである。基材４１がプラスチックフィルムである場合も転写インキ層と基材が完全密着する場合は、転写性能が低下するので、剥離層４２を塗工するのが好ましい。
剥離層４２には紫外線硬化型樹脂からなる塗工材料を使用するのが好ましく、特にシリコーン樹脂を添加すると転写性が顕著に良好になる。
【００１５】
紫外線硬化型インキは、分子中に重合性不飽和結合または、エポキシ基を有するプレポリマー、オリゴマー、及び／又はモノマーを適宜配合した紫外線硬化可能な組成物が用いられる。上記プレポリマー、オリゴマーとしては、不飽和ジカルボン酸と多価アルコールの縮合物等の不飽和ポリエステル類、ポリエステルメタクリレート、ポリエーテルメタクリレート、ポリオールメタクリレート、メラミンメタクリレート等のメタクリレート類、ポリエステルアクリレート、エポキシアクリレート、ウレタンアクリレート、ポリエーテルアクリレート、ポリオールアクリレート、メラミンアクリレート等のアクリレート、カチオン重合型エポキシ化合物等が挙げられる。
【００１６】
紫外線硬化性樹脂に用いるモノマーの例としては、スチレン、αメチルスチレン等のスチレン系モノマー、アクリル酸メチル、アクリル酸−２−エチルヘキシル、アクリル酸メトキシエチル、アクリル酸ブトキシエチル、アクリル酸ブチル、アクリル酸メトキシブチル、アクリル酸フェニル等のアクリル酸エステル類、メタクリル酸メチル、メタクリル酸エチル、メタクリル酸プロピル、メタクリル酸メトキシエチル、メタクリル酸エトキシメチル、メタクリル酸フェニル等のメタクリル酸エステル類が挙げられる。
【００１７】
また、光重合開始剤として、アセトフェノン類、ベンゾフェノン類、ミヒラーベンゾイルベンゾエート、α−アミノキシムエステル、チオキサントン類、芳香族ジアゾニウム塩、芳香族スルホニウム塩、メタロセン、また、光重合促進剤（増感剤）としてｎ−ブチルアミン、トリエチルアミン、トリ−ｎ−ブチルホスフィン等を、さらに混合して用いることができる。
【００１８】
紫外線硬化性樹脂の塗工組成物には、粘度を調整するために、樹脂の成分を溶解可能であり、常圧における沸点が７０°Ｃから１５０°Ｃの溶剤を組成物中に３０質量％以下の範囲で添加して用いることができる。３０質量％以下であれば、乾燥を促進でき、紫外線硬化を阻害することもないからである。具体的に使用できる溶剤としては、トルエン、キシレン等の芳香族炭化水素、アセトン、メチルブチルケトン、メチルイソブチルケトン、シクロヘキサノン等のケトン類、酢酸エチル、酢酸イソプロピル等のエステル類、エチルアルコール、イソプロピルアルコール等のアルコール類、等である。
着色インキの場合は、これに体質顔料や色剤としての有機顔料が添加されるが、剥離層または目止め剤として用いる場合は、透明なままが好ましく顔料等を添加しないメジウムインキとして使用する。
【００１９】
剥離層の離型性を高めるためには、シリコーン樹脂を添加するのが好ましい。例えば、ジメチルシリコーンオイル、メチルハイドロジェンポリシロキサン、メチルフェニルシリコーンオイル、もしくは環状ジメチルポリシロキサン等のシリコーンオイルを使用することができ、また、各種の変成シリコーンオイルも使用できる。反応性シリコーンオイルとしては、アミノ変成、エポキシ変成、カルボキシル変成、カルビノール変成、メタクリル変成、等が、また非反応性シリコーンオイルとしては、ポリエーテル変成、メチルスチリル変成、アルキル変成、高級脂肪酸エステル変成、高級アルコキシ変成、もしくはフッ素変成のものを使用できる。
上記のシリコーン類等は紫外線硬化樹脂組成物中、紫外線硬化樹脂１００質量部に対して０．１〜１０質量部、好ましくは０．５〜６．０質量部配合するのが好ましい。配合量が下限未満であると離型性向上効果が認められず、上限を超えると、紫外線硬化が十分に行われなくなるからである。
【００２０】
転写インキ層のインキには、複写用カーボン紙に使用すると同様なインキを使用することができる。従来から、この種転写インキ塗膜の形成には、固体蝋、固体脂肪酸、滑剤、バインダー、溶剤および着色剤からなるインキが使用されている。
固体蝋とは、固体脂肪酸の晶出を調整し、結晶状態の大小および皮膜表面の軟硬に影響を与えるものであって、パラフィンワックス、カルナバワックス、モンタン蝋、蜜蝋、マイクロクリスタリンワックス等の固体蝋をいう。
固体脂肪酸は、転写インキ皮膜の表面に微細な結晶状態で析出し、強靱な膜を形成しないで、均一、かつ不連続状態の層を形成するものである。そのため、印鑑の微細な文字を忠実に再現しやすい特徴を生じる。このような固体脂肪酸としては、ステアリン酸、ミリステン酸、ベヘン酸、パルミチン酸等、添加溶剤により結晶状態に晶出し易い材料が使用される。
【００２１】
滑剤とは、着色剤を皮膜形成成分中に分散させるとともに皮膜に平滑性を与える性状を有するものであり、精製タルク、軟質炭酸カルシウム、チタンホワイト等をいう。また、バインダーは溶剤に溶解して、着色剤ならびに固体脂肪酸、固体蝋、滑剤を結合させるものであり、低粘度エチルセルローズ、低粘度ニトロセルローズ、塩化ゴム等が用いられる場合もある。
【００２２】
さらに、溶剤がこの転写インキに使用されるが、溶剤は固体脂肪酸、固体蝋、バインダー等を溶解または分散し、その他の着色剤、滑剤とともにインキ中に混合分散し、塗布後の揮発過程において、固体脂肪酸を転写インキ層表面に結晶状態で晶出させる作用を行うものである。このような溶剤としては、石油系溶剤、トルオール、メタノール、酢酸エチルエステル、エタノール等が用いられる。
【００２３】
捺印面は、青や黒であっても構わないが、朱や赤色で捺印することが慣用なので、それらの色彩の染顔料を用いるのが好ましいと考えられる。
朱ないし帯黄赤色有機顔料として、レーキレッドＣがある。レーキレッドＤやブリリアントスカーレット等を用いることもできる。紅色の顔料としてカーミンを使用できる。
無機顔料の朱色に硫化水銀II（ＨｇＳ）がある。赤色染料は各種のものがあるが、単独では耐水性等の問題を生じ易いので顔料とともに用いるのが好ましい。
青系の顔料には紺青やミロリーブルー、ビクトリアブルー、黒色にはカーボンブラックが用いられる。
【００２４】
剥離層４２や転写インキ層４３の塗布は、オフセット印刷やフレキソ印刷方式、あるいはグラビアコートやロールコート、ナイフコート、リバースコート、フローコート等、各種の方法を採用できる。基材フィルムの捺印欄にのみ部分的にコートする場合は、オフセット印刷やフレキソ印刷、あるいはグラビアコート法が好ましい。
剥離層４２の塗布後は、紫外線を選択して照射し、塗膜を架橋硬化させる。紫外線照射用光源としては、超高圧水銀灯、ブラックライトランプ、キセノンアーク、メタルハライドランプ等を使用することができる。
【００２５】
次に、複写伝票に対する捺印方法について説明する。
図２（Ａ）のように、捺印欄３の上に印肉シート４を被せた状態にする。印肉シート４は、転写インキ層４３が捺印欄３に接する状態になっている。この状態で、印鑑５の印面を印肉シート４の上面にあてて矢印Ｙの方向に押圧する（図２（Ｂ））。印肉シート４を剥離すると捺印欄３には印鑑５の文字形状６が転写されている（図２（Ｃ））。
転写性を一層良好にするためには、捺印の際に、適当な弾力性を有する捺印マットを併用してもよい。このように転写した印影は、乾燥する必要もないし、直ちに手指で接触しても紙面や指先を汚すようなこともない。
【実施例】
【００２６】
印肉シート４の基材フィルムとして、厚み４０μｍのＰＥＴフィルムを使用し、以下の仕様の剥離層塗布液と転写インキ層塗布液を、配送伝票製造の際の印刷方式により、インライン１工程による印刷を行った。すなわち、剥離層４２は、ＰＳ版を使用したＵＶオフセット輪転印刷を行い、転写インキ層４３は、インキパンを加温しながらフレキソ用樹脂版を用いてフレキソ輪転印刷を行った。剥離層４２も転写インキ層４３も捺印欄３に想到する部分のみ印刷されるようにした。なお、剥離層塗布液印刷後に紫外線照射を行い、剥離層の硬化を行ってから転写インキを印刷するようにした。
【００２７】
＜剥離層塗布液＞
紫外線硬化型ＯＰニスには、ザ・インクテック株式会社製「ＵＶ無色蛍光用剥離ニス」（アクリル樹脂系）を使用した。なお、５．０質量％のシリコーン樹脂があらかじめ添加されたものである。
【００２８】
転写インキには、内外カーボンインキ株式会社製「ゴム凸８５赤」を使用した。その概略組成は以下のとおりである。
＜転写インキ層塗布液＞
顔料                                  ５〜２０質量％
高沸点石油系溶剤                    ２５〜３５質量％
カルナバワックス                    １０〜１５質量％
パラフィンワックス                  １５〜２０質量％
マイクロクリスタリンワックス          ５〜１０質量％
【００２９】
以上により完成した印肉シート４を捺印欄３のある配送伝票の最表面に、転写インキ層４３が捺印欄３に接するように貼付して複写伝票１を完成した。この複写伝票１の捺印欄３に対して、図２のように印鑑５を押圧したところ印鑑の文字形状６を捺印欄３に美麗に転写することができた。
【図面の簡単な説明】
【００３０】
【図１】本発明の捺印用印肉シート付き複写伝票を示す図である。
【図２】本発明の複写伝票による捺印方法を示す図である。
【符号の説明】
【００３１】
１  複写伝票
２  伝票用紙
３  捺印欄
４  印肉シート
５  印鑑
６  文字形状
【図１】
2006159462.tif 000003
【図２】
2006159462.tif 000004